(57)【要約】【課題】二重床を有する建物の施工について、工期短縮化を図ることを可能とした二重床施工方法を提案する。【解決手段】躯体床１１から離間した位置に仕上げ床２を設ける二重床の施工方法である。躯体床１１または躯体梁に仮設の台座４を設置する台座設置工程と、台座４上に鉄骨柱３を建て込む柱状部材建込工程と、躯体床１１と鉄骨柱３の下端との間に仕上げ床２を形成する仕上げ床構築工程とを備えている。鉄骨柱３は下端にベースプレート３１が固定された鋼材からなる。【選択図】図１
2020180442.tif 000002
【特許請求の範囲】
【請求項１】
躯体床から離間した位置に仕上げ床を設ける二重床の施工方法であって、
前記躯体床または躯体梁に仮設の台座を設置する台座設置工程と、
前記台座上に柱状部材を建て込む柱状部材建込工程と、
前記躯体床と前記柱状部材の下端との間に前記仕上げ床を形成する仕上げ床構築工程と、を備えることを特徴とする、二重床施工方法。
【請求項２】
前記柱状部材は、下端にベースプレートが固定された鉄骨柱であり、
前記柱状部材建込工程では、前記ベースプレートにナットで係止されたボルトを前記台座に取り付け、前記台座と前記ベースプレートとの間に隙間をあけた状態で前記鉄骨柱を建て込み、
前記仕上げ床構築工程後に、前記ベースプレートから前記ボルトを取り外すことにより前記台座と前記鉄骨柱とを分離する分離工程をさらに備えていることを特徴とする、請求項１に記載の二重床施工方法。
【請求項３】
前記柱状部材建込工程では、さや管が周設された前記ボルトを前記台座に取り付け、
前記仕上げ床構築工程では、前記さや管の周囲にコンクリートを打設して前記仕上げ床を形成することを特徴とする、請求項２に記載の二重床施工方法。
【請求項４】
前記柱状部材は、下端にジャッキベースを備えた仮設の建枠の側柱であり、
前記台座設置工程において、前記躯体床または前記躯体梁に第一の台座を固定する作業と、前記仕上げ床の計画高さよりも高い位置において前記第一の台座の上に第二の台座を架け渡す作業とを行い、
前記柱状部材建込工程において、前記第二の台座上に、前記ジャッキベースを設置することを特徴とする、請求項１に記載の二重床施工方法。
【発明の詳細な説明】
【技術分野】
【０００１】
本発明は、二重床施工方法に関する。
【背景技術】
【０００２】
各種機器類の配線や配管のスペースを確保すること等を目的として二重床が採用されている。また、音や振動の遮断を目的として、音響ホールなどにおいても二重床が作用される場合がある。
二重床では、上載する荷重、床下空間に必要な大きさ、二重床に求められる機能等に応じて様々な構造や形態が存在する。例えば、特許文献１では、構造床面上に固定された支持脚に床用台座をかけ渡し、床用台座上に床板を敷設している。また、特許文献２では、基礎部材と床用台座とが一体となった一体化ブロックを所定の位置に配設し、基礎部材を巻き込んだ状態で躯体床のコンクリートを打設した後、台座上に仕上げ床を敷設している。
なお、二重床を有する建物では、二重床の構築が終わらないと室内の仕上げ、天井または屋根の構築等の次工程に進むことができない場合がある。例えば、仕上げ床（浮床）に壁や壁の下地材等を上載する場合には、仕上げ床の施工後でないと壁や下地材等の施工を行うことができない。また、壁や下地材等の施工にクレーン等の揚重機を使用する場合には、揚重機が接触するおそれがある天井や屋根等の施工を壁や下地材等の施工が完了してから行うことになる。また、仕上げ床に上載する壁面や天井面等に仕上げを行う際には足場が必要となるが、仕上げ床の施工の妨げにならないように、足場の組み立ても仕上げ床の施工後に行う場合が発生している。
仕上げ床の施工に先立って、あるいは、仕上げ床の施工と並行して壁や壁の下地材の施工、壁面や天井面の仕上げ作業等を実施することができれば、施工期間の短縮が可能となる。
【先行技術文献】
【特許文献】
【０００３】
【特許文献１】特開２００４−０１９２３６号公報
【特許文献２】特開２０１２−１７７２２５号公報
【発明の概要】
【発明が解決しようとする課題】
【０００４】
本発明は、二重床を有する建物の施工について、工期短縮化を図ることを可能とした二重床施工方法を提案することを課題とする。
【課題を解決するための手段】
【０００５】
前記課題を解決するために、本発明は、躯体床から離間した位置に仕上げ床を設ける二重床の施工方法であって、前記躯体床または躯体梁に仮設の台座を設置する台座設置工程と、前記台座上に柱状部材を建て込む柱状部材建込工程と、前記躯体床と前記柱状部材の下端との間に前記仕上げ床を形成する仕上げ床構築工程とを備えている。かかる二重床施工方法によれば、仕上げ床の施工前に柱状部材を設置するため、仕上げ床の施工と並行して室内の仕上げ、壁、天井または屋根の構築等の工程を行うことができ、その結果、工期短縮化を図ることができる。また、柱状部材（例えば、壁の鉄骨柱や足場の脚部等）を仕上げ床の上方に設置するため、柱状部材が仕上げ床の施工の妨げにならない。
【０００６】
柱状部材が下端にベースプレートが固定された鉄骨柱である場合には、前記柱状部材建込工程において前記ベースプレートにナットで係止されたボルトを前記台座に取り付け、前記台座と前記ベースプレートとの間に隙間をあけた状態で前記鉄骨柱を建て込み、前記仕上げ床構築工程後に前記ベースプレートから前記ボルトを取り外すことにより前記台座と前記鉄骨柱とを分離する。かかる二重床施工方法によれば、仕上げ床の施工後に柱状部材と台座とを簡易に分離することができる。そのため、柱状部材の存在が床下空間の利用の自由度等に影響を与えることがない。
ここで、前記柱状部材建込工程ではさや管が周設された前記ボルトを前記台座に取り付け、前記仕上げ床構築工程では前記さや管の周囲にコンクリートを打設して前記仕上げ床を形成すれば、ボルトが仕上げ床に固定されることがないため、ボルトの撤去が容易である。
【０００７】
前記柱状部材が下端にジャッキベースを備えた仮設の建枠の側柱（脚柱）である場合には、前記台座設置工程において前記躯体床または前記躯体梁に第一の台座を固定する作業と、前記仕上げ床の計画高さよりも高い位置において前記第一の台座の上に第二の台座を架け渡す作業とを行い、前記柱状部材建込工程において前記第二の台座上に前記ジャッキベースを設置する。かかる二重床施工方法によれば、台座である第二の台座上に足場の側柱等を設置することができる。第二の台座は、仕上げ床よりも高い位置に配設されているため、足場等を設置しても仕上げ床の施工を妨げることがない。
【発明の効果】
【０００８】
本発明の二重床施工方法によれば、仕上げ床の施工に先立ってあるいは仕上げ床の施工と並行して壁や壁の鉄骨柱の施工や、壁面や天井面の仕上げ作業等を実施することを可能となり、その結果、二重床を有する建物の施工について工期短縮化を図ることが可能となる。
【図面の簡単な説明】
【０００９】
【図１】第一実施形態に係る建物の一部を示す断面図である。
【図２】第一実施形態に係る柱状部材の脚部を示す断面図である。
【図３】図２のＡ−Ａ断面図である。
【図４】第一実施形態の二重床施工方法を示すフローチャート図である。
【図５】第一実施形態の台座設置工程を示す断面図である。
【図６】（ａ）は図５に続く台座設置工程を示す断面図、（ｂ）は（ａ）の平面図である。
【図７】鉄骨柱の脚部を示す斜視図である。
【図８】第一実施形態の柱状部材建込工程を示す断面図である。
【図９】（ａ）は図８に続く柱状部材建込工程を示す断面図、（ｂ）は（ａ）の平断面図である。
【図１０】第一実施形態の柱状部材上部の支持状況を示す側面図である。
【図１１】第二実施形態に係る建物の施工状況を示す断面図である。
【図１２】第二実施形態の台座を示す図であって、（ａ）は横断図、（ｂ）は縦断図である。
【図１３】第二実施形態の二重床施工方法を示すフローチャート図である。
【図１４】（ａ）は第二実施形態の台座設置工程を示す断面図、（ｂ）は（ａ）に続く台座設置工程を示す断面図である。
【図１５】（ａ）は第二実施形態の分離工程を示す断面図、（ｂ）は（ａ）に続く分離工程を示す断面図である。
【発明を実施するための形態】
【００１０】
＜第一実施形態＞
本実施形態は、躯体床１１上に、免震装置２１を介して仕上げ床２を設けるものである。このような二重床の仕上げ床構造は、音楽ホール等がある。音楽ホール等では、ホール内の振動が躯体に伝わることがないように遮断構造となっている。そのため、このようなホール内の仕上げ構造は、仕上げ床２上に設ける必要がある。
第一実施形態では、図１に示すように躯体床１１、躯体壁１２および梁１３を備える建物１の施工において、躯体床１１の上面に隙間をあけて仕上げ床（浮き床）２を構築する二重床施工方法について説明する。建物１は、多目的ホールとして使用されるものであって、図１に示すように、躯体壁１２の内側に、内壁３０を有している。内壁３０は、所定の間隔をあけて配設された複数のＨ形鋼からなる鉄骨柱３に、仕上げ材３６を横架することにより形成する。本実施形態の内壁３０は、上に向かうにしたがって、躯体壁１２に近付くように傾斜している。鉄骨柱３は、内壁３０の仕上げ材３６を支持する柱状部材であり、図２および図３に示すように、Ｈ形鋼からなる柱本体３７と、柱本体３７の下端に固定されたベースプレート３１からなる。
仕上げ床２は、免震装置２１を介して躯体床１１に上載されている。仕上げ床２の施工は、内壁３０の施工と並行して行う。仕上げ床２は、捨て型枠としてのデッキプレート２３の上面に鉄筋コンクリート層を積層することにより形成する。デッキプレート２３には、鉄骨柱３の位置に対応して開口部２３ａが形成されている。仕上げ床２を施工する際には、開口部２３ａを塞ぎプレート６１により遮蔽した状態で、コンクリートを打設する。開口部２３ａは、鉄骨柱３の建て込み後にデッキプレート２３を敷設することが可能な大きさを有している。
【００１１】
以下、本実施形態の二重床施工法について説明する。
二重床施工方法は、図４に示すように、台座設置工程、柱状部材建込工程、床構築工程および分離工程を備えている。
【００１２】
台座設置工程は、図５に示すように、躯体床１１上に台座４を設置する工程である。台座４は、鉄骨柱３を仕上げ床２よりも先に設置するために利用する仮設の台座であり、完成後は、鉄骨柱３と切り離される。台座４から切り離された鉄骨柱３は、仕上げ床２に支持されることとなる。台座４は、鉄筋コンクリート製のブロック状部材であって、躯体床１１に植設されたアンカー４５を巻き込んだ状態で形成する。アンカー４５は、躯体床１１を施工する際にあらかじめ埋め込んでおくか、あと施工により躯体床１１に植設する。台座４の上面中央には、ボルト用穴４１として、窪みが形成されている。本実施形態では、ボルト用穴４１の深さを５０ｍｍとする。また、ボルト用穴４１の内径は、内壁３０の鉄骨柱３を建て込む際に使用するボルト５（図３参照）の外径に対応する大きさとする。
【００１３】
次に、図６に示すように、台座４の上面にさや管６を仮置きする。さや管６は、仕上げ床２に埋設されることで、仕上げ床２に貫通孔を形成し、仕上げ床２が完成する前の鉄骨柱３の下側を支えるボルト５の空間を確保するために設ける。すなわち、さや管６は、ボルト５が仕上げ床２に埋設、固定されることを防止し、仕上げ床２の完成後にボルト５の撤去を可能とするために、ボルト５用の貫通孔を仕上げ床２に形成するものである。さや管６は、ボルト５（図９参照）の外径よりも大きな内径と仕上げ床２の高さ（厚さ）と同等の長さを有した鋼管からなり、開口部２３ａ（図３参照）を遮蔽するための塞ぎプレート６１の上面に固定されている。台座４の上方に配設される塞ぎプレート６１には、さや管６の位置に対応して貫通孔６２が形成されている。当該塞ぎプレート６１は、ベースプレート３１と同等の形状を有している。なお、鉄骨柱３を構成する材料には溝型鋼やＬ形鋼等の鋼材も使用できる。塞ぎプレート６１の貫通孔６２は、図９（ｂ）に示すように、ベースプレート３１と重なるように塞ぎプレート６１を配置した際に鉄骨柱３のウェブの延長線と貫通孔６２とが接触することがないように、塞ぎプレート６１の中心から偏心した位置に形成されている。塞ぎプレート６１は、台座４の平面形状よりも大きな形状を有していて、台座４の上面に載置すると台座４から張り出す。さや管６を仮置きする際は、塞ぎプレート６１を台座４の上面に載置する。このとき、さや管６は、台座４のボルト用穴４１と位置が一致するように設置する。すなわち、さや管６、塞ぎプレート６１の貫通孔６２および台座４のボルト用穴４１は、連通している。
【００１４】
柱状部材建込工程は、台座４上に鉄骨柱３を建て込む工程である。本実施形態の鉄骨柱３は、図１に示すように、鉛直に対して傾斜した状態で建て込む。図７に示すように、鉄骨柱３のベースプレート３１には、ボルト孔３２が形成されている。鉄骨柱３を建て込む際には、まず、図８に示すように、ボルト孔３２にボルト５を挿通させて、ベースプレート３１の下面からボルト５を下向きに突出させる。このとき、ボルト５は、ベースプレート３１の上面および下面にそれぞれ配設されたナット５１，５１で締着することにより、ベースプレート３１に固定する。ボルト５は、ナット５１，５１を介して固定されているため、ベースプレート３１からの突出長が調整可能である。鉄骨柱３を建て込む際にボルト５の突出長を調整することで、ベースプレート３１の高さ位置を、仕上げ床２の計画高さよりも高い位置に配置する。次に、図９（ａ）に示すように、ベースプレート３１の下面から突出させたボルト５をさや管６に貫通させた状態で台座４のボルト用穴４１に挿入するとともに、鉄骨柱３の上部を梁１３に取り付けることで、鉄骨柱３を配置する。台座４とベースプレート３１との間には、ボルト５により隙間が形成されている。このとき、図９（ｂ）に示すように、ベースプレート３１と塞ぎプレート６１とを平面視で重ねる。なお、ボルト５は、鉄骨柱３を所定の位置に配置してから、ボルト孔３２を挿通せてボルト用穴４１に挿入することができる。ボルト５は、ナット５１を介してベースプレート３１に着脱可能に取り付けられている。仕上げ床２の完成後に、ボルト５を撤去すれば、鉄骨柱３を躯体床１１から分離されて鉄骨柱３が仕上げ床２により支持されるため、仕上げ床２の免震性を確保できる。
【００１５】
図１に示すように、本実施形態の鉄骨柱３の上部で梁１３の位置には、取付部材３３が突設されている。取付部材３３は、梁１３の上面に乗るように延設されている。取付部材３３は、図１０に示すように、梁１３との間に防振ゴム３４を介設した状態で、梁１３に上載する。すなわち、鉄骨柱３は、台座４と梁１３で支えられる。
【００１６】
仕上げ床構築工程では、図２および図３に示すように、躯体床１１と鉄骨柱３（ベースプレート３１）との間に仕上げ床２を形成する。仕上げ床構築工程では、まず、躯体床１１の所定の位置に免震装置２１（例えば、ゴム支承）を配設する。次に、仕上げ床２に必要な鉄筋２２の配筋を行うとともに捨て型枠としてのデッキプレート２３を設置する。デッキプレート２３を敷設する際には、塞ぎプレート６１がデッキプレート２３に上載されるように、さや管６および塞ぎプレート６１を持ち上げた状態で行う。デッキプレート２３を敷設したら、塞ぎプレート６１により開口部２３ａを遮蔽するように、塞ぎプレート６１をデッキプレート２３の上に載置する。開口部２３ａが塞ぎプレート６１よりも大きい場合には、打設コンクリートが流出することがないように、塞ぎプレート６１と開口部２３ａとの隙間を他の鋼板で塞ぐ。また、波型のデッキプレート２３に平板上の塞ぎプレート６１を載置することにより形成される隙間は、打設コンクリートが流出することがないように、シール材（図示せず）などにより塞ぐ。本実施形態では、仕上げ床２の配筋とともに、仕上げ床２と鉄骨柱３とを連結するためのアンカー筋３５を配筋する。アンカー筋３５は、Ｌ字状を呈していて、一端がベースプレート３１に固定され、他端部が仕上げ床２内に埋設される。なお、仕上げ床２は無筋とすることもできる。また、アンカー筋３５も必要に応じて配筋すればよく、仕上げ床２と鉄骨柱３との固定方法は限定されるものではない。
【００１７】
デッキプレート２３を設置したら、コンクリートを打設する。コンクリートは、さや管６を巻き込んだ状態で打設する。仕上げ床２は、ベースプレート３１の下面との間にわずかな（例えば５０mm程度）隙間をあけた状態で形成する。
【００１８】
分離工程では、鉄骨柱３と台座４とを分離する。仕上げ床２のコンクリートに所定に強度が発現したら、ベースプレート３１と仕上げ床２との間に間詰め材２４を充填するとともにベースプレート３１からボルト５を取り外す。間詰め材２４には、無収縮モルタルを使用する。また、ボルト５を抜き出した後の仕上げ床２の貫通孔（さや管６内）には、充填材２５を充填する。充填材２５を構成する材料は限定されるものではないが、間詰め材２４と同じ材料を使用することができる。
【００１９】
本実施形態の二重床施工方法によれば、仕上げ床２の施工前に鉄骨柱３を設置するため、仕上げ床２の施工と並行して内壁３０（仕上げ材３６の設置作業等）の施工を行うことができる。また、鉄骨柱３は、仕上げ床２の上方に仮受けるため、鉄骨柱３の存在が仕上げ床２の施工の妨げにならない。その結果、工期短縮化を図ることができる。また、鉄骨柱３が床下空間の利用の自由度等に影響を与えることもない。
また、鉄骨柱３は、ボルト５を介して台座４に建て込むため、仕上げ床２の施工後の鉄骨柱３と台座４とを分離する作業が容易である。ボルト５には、さや管６が周設されているため、ボルト５が仕上げ床２に固定されることがなく、容易に撤去することができる。
ボルト５を撤去することで、仕上げ床２が躯体床１１から分離されて、仕上げ床２が免震装置２１に支持された状態となるため、ホール内で生じた振動等が、躯体床１１等に伝達することを抑制できる。
【００２０】
＜第二実施形態＞
第二実施形態では、第一実施形態と同様に、躯体床１１の上面に隙間をあけて仕上げ床（浮き床）２を構築する二重床施工方法について説明する。本実施形態は、室内の仕上げ作業用の足場と仮設材（台座４）を用いるものである。仕上げ床２は、免震装置２１を介して躯体床１１の上面に形成する。仕上げ床２の施工は、図１１に示すように、足場７を利用して壁面や天井面の仕上げを行う作業（仕上げ材３６を設置する作業）と並行して行う。なお、足場７の使用目的は限定されるものではなく、例えば、内壁３０の鉄骨柱３の建て込みに使用してもよい。足場７は、図１２（ａ）および（ｂ）に示すように、台座４の上に組み立てる。台座４は、躯体梁１４上に設けられた複数の第一の台座４２と、第一の台座４２に上載された第二の台座４３とからなる。
二重床施工方法は、図１３に示すように、台座設置工程、柱状部材建込工程、床構築工程および分離工程を備えている。
【００２１】
台座設置工程は、躯体床１１上に台座４を設置する工程である。台座４は、足場７を支持する仮設部材であって、足場７の撤去後に撤去する。第二の台座４３は、多数設けられる足場７の建枠７１を支持することが可能となるように、連続した支持台を形成している。多数設けられる各建枠７１に対して個々に仕上げ床２を貫通する台座４を形成すると、仕上げ床２の配筋が困難になるとともに、撤去作業にも手間がかかる。そのため、仕上げ床２よりも高い位置に、第一の台座４２により支持された第二の台座４３を配設して平台を形成することにより、より少ない台座４により複数の建枠７１を支持する。第一の台座４２は、いわゆる支柱を構成している。柱状の第一の台座４２を所定の間隔をあけて配設することにより、仕上げ床２を貫通する部材を最小限に抑え、仕上げ床２を形成することを可能にしている。
台座設置工程では、図１４（ａ）に示すように、まず、躯体梁１４上に複数の第一の台座４２を固定する。第一の台座４２は、Ｈ形鋼を縦向きに設けることにより構成されている。なお、第一の台座４２を構成する材料には、溝型鋼やＬ形鋼等の鋼材も使用できる。第一の台座４２は、躯体梁１４の上面から仕上げ床２の上面までの高さよりも大きな高さ（長さ）を有していて、仕上げ床２を形成した段階で、上端部が仕上げ床２の上面から突出するように構成されている。複数の第一の台座４２は、所定の間隔をあけて配設する。本実施形態では、第一の台座４２の上面に鋼板４４が固定されている。
第一の台座４２を設置したら、図１４（ｂ）に示すように、仕上げ床２の計画高さよりも高い位置において複数の第一の台座４２に第二の台座４３を架け渡すことにより、台座４を形成する。第二の台座４３は、Ｈ形鋼を横向きに設けることにより構成されている。なお、第二の台座４３を構成する材料には、溝型鋼やＬ形鋼等の鋼材も使用できる。第二の台座４３は、第一の台座４２の上端部にボルト接合する。
【００２２】
柱状部材建込工程は、図１２（ａ）および（ｂ）に示すように、台座４上に足場７を組み立てる工程である。本実施形態ではいわゆる枠組足場を利用して、仮設足場を形成する。足場７は、複数の建枠７１を所定の間隔をあけて第二の台座４３上に建て込むとともに、建枠７１同士を筋交い７２、つなぎ材７３や足場板で連結することにより形成する。また、建枠７１は、建枠７１の側柱と第二の台座４３との間にジャッキ７４を介設させた状態で建て込む。ここで、建枠７１は、左右の側柱（いわゆる脚柱）と両側柱に横架された横架材等を溶接組み立てして門型を呈している。足場７は、第二の台座４３の上に組み立てるため、仕上げ床２の計画高さよりも高い位置に形成される。
【００２３】
仕上げ床構築工程では、仕上げ床２を形成する。仕上げ床２は、図１５（ａ）に示すように、躯体床１１（躯体梁１４）と第二の台座４３（足場７の建枠７１）との間に形成する。仕上げ床２の施工は、まず、躯体床１１の所定の位置に免震装置２１（図１１参照）を配設する。次に、仕上げ床２に必要な鉄筋２２（図２参照）の配筋を行うとともに型枠を設置する。そして、型枠内にコンクリートを打設する。コンクリートは、第一の台座４２を巻き込んだ状態で打設する。
【００２４】
分離工程では、図１５（ｂ）に示すように、第一の台座４２を切断して、台座４と仕上げ床２とを分離する。第一の台座４２は、仕上げ床２のコンクリートに所定に強度が発現した後、仕上げ床２の下面において切断し、第一の台座４２の仕上げ床２よりも下側の部分を撤去する。次に、壁および天井の仕上げ作業が完了したら、足場７および第二の台座４３を撤去するとともに、第一の台座４２の仕上げ床２の上面から突出する部分を仕上げ床２の上面において切断、撤去する。第一の台座４２を切断、撤去することで、仕上げ床２が躯体床１１から分離されて、仕上げ床２が免震装置２１に支持された状態となるため、ホール内で生じた振動等が躯体床１１等に伝達することを抑制できる。
【００２５】
本実施形態の二重床施工方法によれば、仕上げ床２の施工前に足場７を設置するため、仕上げ床２の施工と並行して壁や天井の仕上げ作業等を行うことができる。また、足場７を設置する台座４の第二の台座４３を仕上げ床２の上方に設置するため、足場７が仕上げ床２の施工の妨げにならない。その結果、工期短縮化を図ることができる。
【００２６】
以上、本発明の実施形態について説明したが、本発明は、前述の各実施形態に限られず、各構成要素については、本発明の趣旨を逸脱しない範囲で適宜設計変更が可能である。
例えば、台座４に設置する柱状部材は限定されるものではなく、例えば間柱であってもよい。
また、仕上げ床２の施工と並行して行う作業は、前記各実施形態で示した内容（壁の施工または壁や天井の仕上げ作業）に限定されるものではない。
前記実施形態では、柱状部材建込工程後に仕上げ床２の鉄筋２２を配筋する場合について説明したが、施工の順序はこれに限定されるものではない。例えば、仕上げ床２の配筋後に、柱状部材を建て込んでもよい。
また、さや管６は、塞ぎプレート６１に固定されている必要はない。
足場７として単管足場を使用する場合には、縦向きに立設された単管（柱状部材）を台座４により支持する。
【符号の説明】
【００２７】
１    建物
１１  躯体床
２    仕上げ床
３    鉄骨柱（柱状部材）
４    台座
５    ボルト
６    さや管
７    足場
７１  建枠
【図１】
2020180442.tif 000003
【図２】
2020180442.tif 000004
【図３】
2020180442.tif 000005
【図４】
2020180442.tif 000006
【図５】
2020180442.tif 000007
【図６】
2020180442.tif 000008
【図７】
2020180442.tif 000009
【図８】
2020180442.tif 000010
【図９】
2020180442.tif 000011
【図１０】
2020180442.tif 000012
【図１１】
2020180442.tif 000013
【図１２】
2020180442.tif 000014
【図１３】
2020180442.tif 000015
【図１４】
2020180442.tif 000016
【図１５】
2020180442.tif 000017